(57)【要約】【課題】ピント確認作業においてユーザは、取得画像の被写界深度によっては、画像を大きくして観察したい場合もあれば、それほど厳密に観察する必要がない場合もある。【解決手段】表示制御装置は、画像データを取得する画像データ取得部と、被写界深度に関して設定された項目値を取得する項目値取得部と、画像データの画像を表示部に表示する場合に、画像の少なくとも一部の領域の拡大率を項目値に基づいて決定する表示制御部とを備える。また、撮像装置は、撮像部と上記の表示制御装置とを備え、画像データ取得部が取得する画像データは、撮像部が生成するライブビュー画像データである。【選択図】図５
2013126177.tif 000002
【特許請求の範囲】
【請求項１】
画像データを取得する画像データ取得部と、
被写界深度に関して設定された項目値を取得する項目値取得部と、
前記画像データの画像を表示部に表示する場合に、前記画像の少なくとも一部の領域の拡大率を前記項目値に基づいて決定する表示制御部と
を備える表示制御装置。
【請求項２】
前記項目値取得部は、前記項目値として設定された絞り値を取得する請求項１に記載の表示制御装置。
【請求項３】
前記表示制御部は、より小さな前記絞り値に対して、同一かより大きな前記拡大率を決定する請求項２に記載の表示制御装置。
【請求項４】
前記表示制御部は、前記絞り値が予め定められた絞り値以上である場合には、前記画像を拡大しないことを決定する請求項３に記載の表示制御装置。
【請求項５】
前記項目値取得部は、前記項目値として設定された撮影モードを取得する請求項１から４のいずれか１項に記載の表示制御装置。
【請求項６】
前記表示制御部は、前記撮影モードが予め定められた撮影モードである場合には、前記画像を拡大しないことを決定する請求項５に記載の表示制御装置。
【請求項７】
前記項目値取得部は、前記項目値として撮影レンズに対して設定された焦点距離を取得する請求項１から６のいずれか１項に記載の表示制御装置。
【請求項８】
前記表示制御部は、より大きな前記焦点距離に対して、同一かより大きな前記拡大率を決定する請求項７に記載の表示制御装置。
【請求項９】
前記項目値取得部は、前記項目値として撮像素子サイズを取得する請求項１から８のいずれか１項に記載の表示制御装置。
【請求項１０】
前記表示制御部は、より大きな前記撮像素子に対して、同一かより大きな前記拡大率を決定する請求項９に記載の表示制御装置。
【請求項１１】
前記表示制御部は、前記画像を複数の前記表示部のうちのいずれに表示するかに基づいて前記拡大率を決定する請求項１から１０のいずれか１項に記載の表示制御装置。
【請求項１２】
前記表示制御部は、前記画像を複数の前記表示部のうち予め定められた表示部に表示する場合には、前記画像を拡大しないことを決定する請求項１から１１のいずれか１項に記載の表示制御装置。
【請求項１３】
撮像部と、
請求項１から１２のいずれか１項に記載の表示制御装置と
を備え、
前記画像データは、前記撮像部が生成するライブビュー画像データである撮像装置。
【請求項１４】
前記表示制御部は、マニュアルフォーカスが設定されている場合に前記拡大率を決定する請求項１３に記載の撮像装置。
【請求項１５】
フォーカスを調整するユーザ操作を検出する操作検出部を備え、
前記表示制御部は、少なくとも前記ユーザ操作が検出されている間、前記拡大率を維持する請求項１４に記載の撮像装置。
【請求項１６】
被写体の動きを検出する動体検出部を備え、
前記表示制御部は、前記動体検出部の検出結果に基づいて前記拡大率を変更する請求項１３から１５のいずれか１項に記載の撮像装置。
【請求項１７】
前記表示制御部は、前記被写体の動きがある場合に、無い場合よりも前記拡大率を小さくする請求項１６の記載の撮像装置。
【請求項１８】
前記撮像部は、被写体像の位相差情報を検出する検出画素を有する請求項１３から１７のいずれか１項に記載の撮像装置。
【請求項１９】
前記表示制御部は、前記表示部に、前記画像と共に合焦情報を前記表示部に表示させる請求項１３から１８のいずれか１項に記載の撮像装置。
【請求項２０】
画像データを取得する画像データ取得ステップと、
被写界深度に関して設定された項目値を取得する項目値取得ステップと、
前記画像データの画像を表示部に表示する場合に、前記画像の少なくとも一部の領域の拡大率を前記項目値に基づいて決定する表示制御ステップと
をコンピュータに実行させる表示制御プログラム。
【発明の詳細な説明】
【技術分野】
【０００１】
本発明は、表示制御装置、撮像装置および表示制御プログラムに関する。
【背景技術】
【０００２】
ユーザによるマニュアル操作によりピント調整が行われた場合に、被写体像を一定時間の間、拡大して表示する撮像装置が知られている。
［先行技術文献］
［特許文献］
［特許文献１］  特開２０１０−１４１７７８号公報
【発明の概要】
【発明が解決しようとする課題】
【０００３】
しかし、ピント確認作業においてユーザは、取得画像の被写界深度によっては、画像を大きくして観察したい場合もあれば、それほど厳密に観察する必要がない場合もある。
【課題を解決するための手段】
【０００４】
本発明の第１の態様における表示制御装置は、画像データを取得する画像データ取得部と、被写界深度に関して設定された項目値を取得する項目値取得部と、画像データの画像を表示部に表示する場合に、画像の少なくとも一部の領域の拡大率を項目値に基づいて決定する表示制御部とを備える。
【０００５】
本発明の第２の態様における撮像装置は、撮像部と上記の表示制御装置とを備え、画像データ取得部が取得する画像データは、撮像部が生成するライブビュー画像データである。
【０００６】
本発明の第３の態様における表示制御プログラムは、画像データを取得する画像データ取得ステップと、被写界深度に関して設定された項目値を取得する項目値取得ステップと、画像データの画像を表示部に表示する場合に、画像の少なくとも一部の領域の拡大率を項目値に基づいて決定する表示制御ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係るカメラの正面斜視図である。
【図２】本実施形態に係るカメラ本体の背面図である。
【図３】本実施形態に係るカメラのシステム構成図である。
【図４】本実施形態に係る撮像素子の構成を示す図である。
【図５】設定された絞り値と拡大表示の関係を示す図である。
【図６】設定された撮影モードと拡大表示の関係を示す図である。
【図７】設定された焦点距離と拡大表示の関係を示す図である。
【図８】撮像素子の大きさ、および切抜きモードを説明する図である。
【図９】設定された切抜きモードと拡大表示の関係を示す図である。
【図１０】ピント調整アシスト画面の例である。
【図１１】ライブビュー表示処理のフロー図である。
【図１２】記録済み画像データの表示処理のフロー図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る撮像装置としてのカメラ１０の正面斜視図である。ここでは、レンズ交換式カメラを例に説明する。カメラ１０は、カメラ本体３０に交換レンズ２０が装着されて構成される。カメラ本体３０には、焦点距離、開放Ｆ値等の異なる複数の交換レンズ２０が交換可能に装着される。交換レンズ２０は、その鏡筒内に、光軸１１に沿って配列された光学系を備え、光軸１１に沿って入射する被写体光束をカメラ本体３０へ導く。光学系には、フォーカスレンズ、ズームレンズが含まれる。また、ユーザがフォーカスレンズを光軸１１に沿って移動させるフォーカス環２１、およびズームレンズを光軸１１に沿って移動させるズーム環２２を備える。なお、図示するように、光軸１１に平行な方向である前後方向をｚ軸方向とする。また、ｚ軸に直交し、かつカメラ本体３０の長手方向と平行な方向である左右方向をｘ軸方向とし、ｚ軸およびｘ軸に直交する方向である上下方向をｙ軸方向とする。
【００１１】
カメラ本体３０の上面には、複数の操作部材が設けられている。具体的には、撮影指示を受け付けるレリーズボタン３２、撮影モードの切り替えを受け付ける撮影モードダイヤル３３が配置されている。
【００１２】
図２は、本実施形態に係るカメラ本体３０の背面図である。カメラ本体３０の背面には、液晶モニタ等の表示部３４が設けられている。また、カメラ本体３０の背面においても、上面と同様に、複数の操作部材が設けられている。具体的には、画像データの再生指示を受け付ける再生ボタン３５、画像データの削除指示を受け付ける削除ボタン３６、表示画像の拡大指示を受け付ける拡大ボタン３７、表示画像の縮小指示を受け付ける縮小ボタン３８が配置されている。また、表示部３４に表示されたカーソルの移動等に用いられる十字キー３９、カーソルで選択された項目の機能等を実行させるための決定ボタン４０、再生画像のコマ送り指示を受け付けるコマンドダイヤル４１が配置されている。
【００１３】
図３は、本実施形態に係るカメラ１０のシステム構成図である。被写体像は、光軸１１に沿って光学系を透過し、撮像素子１３３の受光面に結像する。光学系は、フォーカスレンズ１２１、ズームレンズ１２２、絞り１２３を含む。フォーカスレンズ１２１は、ユーザによるフォーカス環２１の操作によって、光軸１１方向に変位する。フォーカスレンズ１２１が光軸１１方向に変位されることにより、被写体像のピント状態が調整される。したがって、ユーザがフォーカス環２１を操作して被写体像のピント状態を調整する、いわゆるマニュアルフォーカスが実現される。なお、レンズシステム制御部１２０は、フォーカス環２１の回転量を監視しており、フォーカスレンズ１２１の位置を定常的に把握している。そして、レンズシステム制御部１２０は、カメラシステム制御部１３０の要求に応じてカメラ本体３０側へフォーカスレンズ１２１の位置情報を送信する。
【００１４】
また、フォーカスレンズ１２１は、レンズシステム制御部１２０による制御に従って、駆動回路１２４によっても光軸方向に変位する。この場合、レンズシステム制御部１２０は、後述する焦点検出部１４５の検出結果に即して、駆動回路１２４にフォーカスレンズ１２１の変位信号を与える。したがって、被写体像のピント状態を自動的に調整する、いわゆるオートフォーカスが実現される。
【００１５】
ズームレンズ１２２は、ユーザによるズーム環２２の操作によって、光軸方向に変位する。ズームレンズ１２２が光軸１１方向に変位されることにより、交換レンズ２０の焦点距離が調整される。なお、レンズシステム制御部１２０は、ズーム環２２の回転量を監視しており、交換レンズ２０の焦点距離を定常的に把握している。そして、レンズシステム制御部１２０は、カメラシステム制御部１３０の要求に応じてカメラ本体３０側へ焦点距離情報を送信する。
【００１６】
また、レンズシステム制御部１２０は、駆動回路１２４を介して絞り１２３を駆動する。レンズシステム制御部１２０は、レンズマウント接点１２５およびカメラマウント接点１３１を介してカメラシステム制御部１３０と接続され、相互に通信を実行しつつ協働して交換レンズ２０とカメラ本体３０を制御する。なお、レンズマウント接点１２５およびカメラマウント接点１３１は、それぞれ上述の交換レンズ２０側の通信端子およびカメラ本体３０側の通信端子を含む。
【００１７】
撮像素子１３３は、光学系を透過して入射する被写体像である光学像を光電変換する素子であり、例えば、ＣＣＤ、ＣＭＯＳセンサが用いられる。また、後述するように、撮像素子１３３は、画像データを出力する通常の画素の他に、位相差検出画素を有する。シャッタ１３４は、撮影動作時およびライブビュー表示時に開き、撮像素子１３３に被写体光束を導く。それ以外の期間においては、被写体光束を遮断する。撮像素子１３３の通常画素により光電変換された被写体像は、Ａ／Ｄ変換器１３５でアナログ信号からデジタル信号に変換される。デジタル信号に変換された被写体像は、画像データとして順次処理される。
【００１８】
Ａ／Ｄ変換器１３５によりデジタル信号に変換された画像データは、画像処理部１３６へ引き渡される。画像処理部１３６は、画像データをＪＰＥＧファイル等の規格化された画像フォーマットの画像データに変換する。メモリ制御部１３７は、いかなる作業にどれくらいのメモリ容量を割り当てるかを制御する。内部メモリ１３８は、高速で読み書きのできるランダムアクセスメモリであり、例えばＤＲＡＭ、ＳＲＡＭなどが用いられる。内部メモリ１３８は、画像処理部１３６が行う処理において、ワークメモリとしての役割を担う。また、内部メモリ１３８は、連写撮影等において連続して画像データが生成される場合に、画像処理の順番を待つバッファメモリとしての役割を担う。
【００１９】
画像処理部１３６によって処理された画像データは、メモリ制御部１３７の制御により、内部メモリ１３８から外部機器ＩＦ１４０を介して、記録媒体の記録部１４１に記録される。記録媒体は、フラッシュメモリ等により構成される、カメラ本体３０に対して着脱可能な不揮発性メモリである。また、記録部１４１には、画像に関連する関連情報が画像データに関連付けて記録される。関連情報は、撮影時における絞り値、シャッタ速度、ＩＳＯ感度、焦点距離、撮影モード、焦点検出位置、撮像素子１３３のサイズ、切抜き設定の有無等の情報を含む。関連情報は、例えばＪＰＥＧファイルの場合、ヘッダ情報であるＥｘｉｆ情報に記述される。
【００２０】
表示部３４は、例えばＬＣＤパネルにより構成されるディスプレイユニットである。表示部３４は、表示制御部１３９が出力するＲＧＢ信号を受け取り、表示用画像データをユーザに視認されるように表示する。
【００２１】
記録の有無に関わらず、画像処理部１３６が撮像素子１３３の出力に従って逐次表示用画像データを生成し、表示制御部１３９が当該表示用画像データを表示部３４へ出力すれば、スルー画としてのライブビュー表示を実現することができる。したがって、表示制御部１３９は、表示部３４を介して、静止画および動画撮影後の再生表示、撮影前および動画撮影中のライブビュー表示を実現することができる。
【００２２】
また、表示制御部１３９は、表示する画像データに付随する情報、および、システムメモリ１３２に記録されたメニュー画面等も、表示部３４に単独で、あるいは表示画像に重畳して表示させることもできる。
【００２３】
カメラ１０は、上述の画像処理における各々の要素も含めて、カメラシステム制御部１３０により直接的または間接的に制御される。カメラシステム制御部１３０は、システムメモリ１３２を備える。システムメモリ１３２は、電気的に消去・記録可能な不揮発性メモリであり、例えばＥＥＰＲＯＭ（登録商標）等により構成される。システムメモリ１３２は、カメラ１０の動作時に必要な定数、変数、プログラム等を、カメラ１０の非動作時にも失われないように記録している。
【００２４】
カメラ本体３０は、電源１４３から電力供給を受ける。電源制御部１４２は、電源１４３と通信して残電力の検出、電力供給の監視、給電を行う。電源１４３は、２次電池、家庭用ＡＣ電源等により構成される。また、交換レンズ２０への給電は、カメラマウント接点１３１、レンズマウント接点１２５を介して行われる。
【００２５】
操作検出部１４４は、上述した操作部材が操作されたことを検出してカメラシステム制御部１３０へ検出結果を出力する。カメラシステム制御部１３０は、操作検出部１４４の出力に応じてユーザの操作を検知し、各種動作を実行する。具体的には、カメラシステム制御部１３０は、レリーズボタン３２の１段階目の押下げであるＳＷ１のオンを検知することにより撮影準備動作であるＡＦ、ＡＥ等を実行する。そして、カメラシステム制御部１３０は、レリーズボタン３２の２段階目の押下げであるＳＷ２のオンを検知することにより撮像素子１３３による被写体像の取得動作（撮影動作）を実行する。なお、マニュアルフォーカスが設定されている場合には、ＳＷ１のオンによるＡＦは実行されない。
【００２６】
焦点検出部１４５は、撮像素子１３３に配列された位相差検出画素の出力をＡ／Ｄ変換器１３５を介して受け取り、被写体像のピント状態を検出する。具体的には、焦点検出部１４５は、対象となる焦点検出領域において、互いに異なる瞳領域を通過して入射する被写体光束から生成される２つの位相差信号を取得して、そのずれ量により、合焦、非合焦を検出する。また、非合焦の場合は、そのずれの方向を加味して、前ピン、後ピンの区別と、合焦までのフォーカスレンズ１２１の変位量を演算する。
【００２７】
図４は、撮像素子１３３の構成を示す図である。撮像素子１３３は、有効画素領域７４１に到達する被写体光束を光電変換する。有効画素領域７４１内には、撮影画像としての画像信号を出力する通常画素と、位相差信号を出力する位相差検出画素が混在して配列されている。位相差検出画素は、有効画素領域に対して２次元的かつ離散的に設定された複数の焦点検出領域７４２内に配列されている。なお、焦点検出領域７４２のすべてが位相差検出画素でなくても良く、当該焦点検出領域において上述のピント状態を良好に検出できるだけの位相差検出画素が配列されていれば良い。有効画素領域７４１において、位相差検出画素以外の画素は通常画素である。通常画素は、例えば、１０００万画素以上に及ぶ。なお、位相差検出画素には、位相差信号の出力の観点からはカラーフィルターを設けないことが好ましいが、カラーフィルターを設けて、その出力を通常画素の出力に準ずる画送信号と扱うこともできる。
【００２８】
本実施形態においては、上記のカメラ１０がライブビュー表示を行っている場合に、表示制御部１３９は、ピント状態をユーザに視認させるべく、被写体像の対象領域を拡大して表示部３４に表示する。しかも、その拡大率を、被写界深度に関して設定された項目値に基づいて決定する。
【００２９】
交換レンズ２０に対する設定がマニュアルフォーカスであったり、交換レンズ２０がオートフォーカスに対応しないマニュアルフォーカスレンズであったりする場合に、ユーザは、フォーカス環２１を回転させながら、ライブビュー表示を観察してピント状態を調整する。この場合、表示制御部１３９は、ユーザがフォーカス環２１を回転している期間において、決定した拡大率により被写体像の対象領域を拡大して、ライブビュー表示を行う。
【００３０】
また、オートフォーカスによりピント状態を調整する場合は、表示制御部１３９は、フォーカスレンズ１２１の変位後の所定期間において、ユーザがピント状態を確認できるように、決定した拡大率により被写体像の対象領域を拡大して、ライブビュー表示を行う。
【００３１】
拡大表示は、上述のようにピント状態の調整あるいは確認を目的としている。従って、拡大表示を実行する場合は、カメラシステム制御部１３０は、少なくとも拡大表示を実行する期間において、レンズシステム制御部１２０を介して、絞り１２３を設定されている絞り値まで実際に絞って、ライブビュー画像を取得する。この場合、ユーザが視認し易いように、ライブビュー画像は、適正露出となるように明るさ調整が行われる。なお、拡大表示を行わない期間におけるライブビュー画像は、絞り１２３が開放状態で取得されても良い。
【００３２】
いずれの領域を拡大するかの対象領域は、ユーザによって予め指定された焦点検出領域７４２を中心とする領域を定めることができる。また、オートフォーカスによりピント状態を調整する場合には、近点優先、中央優先等により自動的に選択された焦点検出領域７４２を中心とする領域を定めることができる。また、マニュアルフォーカスによりピントを調整する場合には、合焦評価値の高い焦点検出領域７４２をユーザがピント調整を行っている領域と推定し、その焦点検出領域７４２を中心とする領域を定めることができる。
【００３３】
また、例えば画像処理部１３６によって判断される、被写体中の顔領域に近接する焦点検出領域７４２を中心とする領域を対象領域と定めることもできる。さらには、表示部３４に重畳して設けられたタッチパネルに対するユーザの接触領域を検出して、当該接触領域に近接する焦点検出領域７４２を中心とする領域を対象領域と定めることもできる。
【００３４】
表示制御部１３９は、被写界深度に関して設定された様々な項目値の少なくともひとつを採用し、当該項目値に基づいて拡大率を決定する。被写界深度に関して設定された項目値は、換言すれば、撮影画像の被写界深度に影響を与える項目値であり、当該項目値を変更すれば、取得される画像において奥行き方向にピントの合う範囲が変化する。以下に、これらの項目値と拡大率の関係について数例説明する。
【００３５】
図５は、設定された絞り値と拡大表示の関係を示す図である。つまり、図５の例においては、被写界深度に関して設定された項目値として、絞り値を採用する。
【００３６】
図５（ａ）は、被写体像の全領域を表示する通常のライブビュー表示であり、拡大表示を行っていない様子を示す図である。ここで、中心領域３０１は、上述のように選択された焦点検出領域７４２を表す。そして、表示制御部１３９は、対象領域として、この中心領域３０１を中心とする矩形領域として定める。具体的には、現在設定されている絞り値がＦ２．８である場合には、対象領域３０２を定める。続いて、表示制御部１３９は、上述の期間において、図５（ｂ）に示すように、対象領域３０２の画像を予め定められた拡大ウィンドウ３１０の大きさまで拡大処理して、ライブビュー表示を実行する。拡大ウィンドウ３１０は、中心領域３０１を中心とする位置に、図５（ａ）の拡大表示なしの状態にピクチャーインピクチャーの態様で重畳される。図５（ｂ）の例によれば、絞り値がＦ２．８の場合は、拡大率として３．３倍が採用される。
【００３７】
同様に、現在設定されている絞り値がＦ４．０である場合には、対象領域３０３を定める。そして、図５（ｃ）に示すように、対象領域３０３の画像を拡大ウィンドウ３１０の大きさまで拡大処理して、ライブビュー表示を実行する。図５（ｃ）の例によれば、絞り値がＦ４．０の場合は、拡大率として２．３倍が採用される。現在設定されている絞り値がＦ５．６である場合には、対象領域３０４を定める。そして、図５（ｄ）に示すように、対象領域３０４の画像を拡大ウィンドウ３１０の大きさまで拡大処理して、ライブビュー表示を実行する。図５（ｄ）の例によれば、絞り値がＦ５．６の場合は、拡大率として１．８倍が採用される。現在設定されている絞り値がＦ８．０である場合には、対象領域３０５を定める。そして、図５（ｅ）に示すように、対象領域３０５の画像を拡大ウィンドウ３１０の大きさまで拡大処理して、ライブビュー表示を実行する。図５（ｄ）の例によれば、絞り値がＦ８．０の場合は、拡大率として１．５倍が採用される。
【００３８】
このように、表示制御部１３９は、より大きな絞り値（絞り１２３の開口がより小さくなる）に対して、より小さな拡大率を決定する。換言すれば、より小さな絞り値（絞り１２３の開口がより大きくなる）に対して、より大きな拡大率を決定する。すなわち、上述のように、拡大表示はユーザによるピント状態の調整あるいは確認を目的としているので、被写界深度が浅くなる小さな絞り値が設定されて取得される画像ほどより大きく拡大したいという、ユーザの要請に応える。一方、ある程度絞り込まれた取得画像に対しては、被写界深度が深く容易にピント状態を視認できるので、それ程拡大率を大きくしなくても良い。したがって、表示制御部１３９は、例えば、絞り値がＦ１１以上のような、予め定められた絞り値以上の絞り値が設定されている場合には、拡大表示そのものを実行しないように決定しても良い。
【００３９】
いずれの絞り値が設定されている場合に如何なる拡大率とするかは、例えばルックアップテーブル形式でシステムメモリ１３２に予め記憶させておくことができる。なお、より小さな絞り値に対する拡大率を定める場合には、より大きな拡大率を採用するばかりでなく、隣り合う絞り値間において同一の拡大率を採用しても良い。
【００４０】
図６は、設定された撮影モードと拡大表示の関係を示す図である。つまり、図６の例においては、被写界深度に関して設定された項目値として、撮影モードを採用する。撮影モードは、想定するシーンに応じて、それぞれにふさわしいプログラム線図が適用される撮影モードである。
【００４１】
図６（ａ）は、撮影モードとしてポートレートモードが設定された場合の、通常のライブビュー表示と、拡大ウィンドウ３１０を重畳させた拡大表示との関係を示す図である。ポートレートモードは、人物を被写体とするシーンを想定してプログラム線図が設定された撮影モードである。具体的には、ポートレートモードのプログラム線図は、背景をぼかして人物を浮き立たせるように、全体的に絞り値が開放寄りに設定されている。そこで、表示制御部１３９は、ポートレートモードが設定されている場合には、拡大表示を実行するにあたり、図５を用いて説明した小さな絞り値の拡大率のように、比較的大きな拡大率を決定する。
【００４２】
ポートレートモードにおける拡大表示において表示制御部１３９は、図５の例と同様に、中心領域３２１を中心とする対象領域３２２を定める。そして、対象領域３２２の画像を予め定められた拡大ウィンドウ３１０の大きさまで拡大処理して拡大表示を実行する。図６（ａ）の例によれば、ポートレートモードの場合は、拡大率として１．８倍が採用される。
【００４３】
図６（ｂ）は、撮影モードとしてスポーツモードが設定された場合の、通常のライブビュー表示と、拡大ウィンドウ３１０を重畳させた拡大表示との関係を示す図である。スポーツモードは、主要被写体が移動するシーンを想定してプログラム線図が設定された撮影モードである。具体的には、スポーツモードのプログラム線図は、主要被写体の被写体ぶれを防ぐべく、全体的に短いシャッタ速度が設定されている。これに対応して、全体的に開放寄りの絞り値が設定されている。この関係において、拡大率は比較的大きな拡大率を適用すれば良いが、スポーツモードにおいては、主要被写体が移動することを想定しているので、被写体捕捉の観点から、ポートレートモードよりは小さな拡大率を決定する。
【００４４】
スポーツモードにおける拡大表示において表示制御部１３９は、中心領域３３１を中心とする対象領域３３２を定める。そして、対象領域３３２の画像を予め定められた拡大ウィンドウ３１０の大きさまで拡大処理して拡大表示を実行する。図６（ｂ）の例によれば、スポーツモードの場合は、拡大率として１．３倍が採用される。
【００４５】
図６（ｃ）は、撮影モードとして風景モードが設定された場合の、通常のライブビュー表示と、拡大表示との関係を示す図である。風景モードは、近景から遠景まで分布する静物を被写体とするシーンを想定してプログラム線図が設定された撮影モードである。具体的には、風景モードのプログラム線図は、パンフォーカスに近づけるべく、全体的に絞り値が大きくなるように設定されている。そこで、表示制御部１３９は、風景モードが設定されている場合には、拡大表示を実行しない。すなわち、上述の期間においても、拡大率を１倍のまま維持する。
【００４６】
いずれの撮影モードが設定されている場合に如何なる拡大率とするかは、例えばルックアップテーブル形式でシステムメモリ１３２に予め記憶させておくことができる。この場合、上述の風景モードのように、予め定められた撮影モードに対しては、拡大表示を実行しないことを定義づけることができる。
【００４７】
図７は、設定された焦点距離と拡大表示の関係を示す図である。つまり、図７の例においては、被写界深度に関して設定された項目値として、焦点距離を採用する。例えば同じ絞り値である場合には、焦点距離が大きくなるほど被写界深度は浅くなる。したがって、表示制御部１３９は、より大きな焦点距離に対して、より大きな拡大率を決定する。より大きな焦点距離に対する拡大率を定める場合には、段階的に拡大率を大きくしても良い。なお、広角側において予め定められた焦点距離よりも小さな焦点距離の場合は、拡大表示を行わなくても良い。また、望遠側において予め定められた焦点距離よりも大きな焦点距離の場合は、拡大率の上限値を設けてこれを適用しても良い。
【００４８】
図７（ａ）は、焦点距離としてｆ＝３５ｍｍが設定された場合の、通常のライブビュー表示と、拡大ウィンドウ３１０を重畳させた拡大表示との関係を示す図である。表示制御部１３９は、図５の例と同様に、中心領域３４１を中心とする対象領域３４２を定める。そして、対象領域３４２の画像を予め定められた拡大ウィンドウ３１０の大きさまで拡大処理して拡大表示を実行する。図７（ａ）の例によれば、ｆ＝３５ｍｍの場合は、拡大率として１．５倍が採用される。
【００４９】
図７（ｂ）は、焦点距離としてｆ＝９０ｍｍが設定された場合の、通常のライブビュー表示と、拡大ウィンドウ３１０を重畳させた拡大表示との関係を示す図である。表示制御部１３９は、図７（ａ）と同様に、中心領域３５１を中心とする対象領域３５２を定める。そして、対象領域３５２の画像を予め定められた拡大ウィンドウ３１０の大きさまで拡大処理して拡大表示を実行する。図７（ｂ）の例によれば、ｆ＝９０ｍｍの場合は、拡大率として２．０倍が採用される。
【００５０】
いずれの焦点距離が設定されている場合に如何なる拡大率とするかは、例えばルックアップテーブル形式でシステムメモリ１３２に予め記憶させておくことができる。なお、表示制御部１３９は、焦点距離情報を、ズーム環２２を監視するレンズシステム制御部１２０からカメラシステム制御部１３０を介して取得する。
【００５１】
また、設定された焦点距離によって拡大率を変更する場合に限らず、装着された交換レンズ２０の種類に応じて拡大率を変更しても良い。例えば、焦点距離が１８ｍｍ−５５ｍｍの交換レンズ２０が装着されている場合は、拡大率として一律に１．５倍を採用し、焦点距離が５５ｍｍ−３００ｍｍの交換レンズ２０が装着されている場合は、拡大率として一律に２．５倍を採用する。この場合、システムメモリ１３２に記憶されているルックアップテーブルは、交換レンズ２０の種類に対して対応付けられた拡大率が記述される。
【００５２】
図８は、撮像素子１３３の大きさ、および切抜きモードを説明する図である。特に、交換レンズ２０を装着するカメラマウント３１側から光軸１１に沿って撮像素子１３３を臨む図である。ここでは撮像素子１３３として、それぞれ異なる大きさである撮像素子Ａと撮像素子Ｂを例に説明する。
【００５３】
撮像素子Ａの有効画素領域は、３５ｍｍ版フィルムと同程度の大きさである２４ｍｍ×３６ｍｍの大きさである（Ａサイズ）。一方、撮像素子Ｂの有効画素領域は、ＡＰＳ版フィルムのＣサイズと同程度の大きさである１６ｍｍ×２４ｍｍの大きさである（Ｂサイズ）。撮像素子Ａを採用するカメラ本体３０であれば、ユーザによる切抜き指定に応じて、全有効画素領域を出力画素範囲とすることもできるし、撮像素子Ｂに相当する領域を出力画素範囲とすることもできる。また、撮像素子Ｂを採用するカメラ本体３０であっても、自身の全有効画素領域よりも小さな出力画素範囲であれば、ユーザによる切抜き指定を受け付けることができる。
【００５４】
図９は、設定された切抜きモードと拡大表示の関係を示す図である。つまり、図９の例においては、被写界深度に関して設定された項目値として、撮像素子サイズを採用する。撮像素子サイズは、切抜きモードにおける出力画素範囲を含む概念である。ここでは、撮像素子ＡをＡサイズとして出力画素範囲を定める場合と、撮像素子Ａの出力画素範囲をＢサイズに切り抜いて定める場合について説明する。
【００５５】
許容錯乱円径および焦点距離は、出力画素範囲の対角線長に比例する。したがって、絞り値および撮影距離を一定にして同等の画角で撮影する場合、被写界深度は、出力画素範囲の対角線長が短い、すなわち出力画素範囲が小さいほど深くなる。被写界深度が深くなるとピントが合っているように観察される奥行きの範囲が広がりボケが少なくなる。そのため、絞り値および撮影距離を一定にし、かつ画角が同等となるように焦点距離を調整して撮影する場合、出力画素範囲が小さい撮影画像は、出力画素範囲が大きい撮影画像と比べてボケが少ない。そこで、出力画素範囲がＡサイズである場合の拡大率を、出力画素範囲がＢサイズである場合の拡大率よりも大きくする。
【００５６】
図９（ａ）は、Ａサイズが設定された場合の、通常のライブビュー表示と、拡大ウィンドウ３１０を重畳させた拡大表示との関係を示す図である。表示制御部１３９は、図５の例と同様に、中心領域３６１を中心とする対象領域３６２を定める。そして、対象領域３６２の画像を予め定められた拡大ウィンドウ３１０の大きさまで拡大処理して拡大表示を実行する。図９（ａ）の例によれば、Ａサイズの場合は、拡大率として２．４倍が採用される。
【００５７】
図９（ｂ）は、Ｂサイズが設定された場合の、通常のライブビュー表示と、拡大ウィンドウ３１０を重畳させた拡大表示との関係を示す図である。通常のライブビュー表示においては、Ａサイズよりも小さなＢサイズが捉えた像を表示部３４の全体に表示しているので、Ｂサイズの通常表示は、いわゆる望遠効果により、Ａサイズの通常表示よりも狭い画角で表示される。表示制御部１３９は、中心領域３７１を中心とする対象領域３７２を定める。そして、対象領域３７２の画像を予め定められた拡大ウィンドウ３１０の大きさまで拡大処理して拡大表示を実行する。図９（ｂ）の例によれば、Ｂサイズの場合は、拡大率として１．５倍が採用される。
【００５８】
この場合、通常のライブビュー表示自体が、望遠効果により狭い画角で表示されているので、Ｂサイズによる拡大ウィンドウ３１０の画像は、小さな拡大率が採用されても、Ａサイズによる拡大ウィンドウ３１０の画像と、実質的に同等の画像にすることができる。すなわち、Ａサイズの場合の拡大率とＢサイズの場合の拡大率の比を、ＡサイズとＢサイズの対角線長比とすれば、拡大ウィンドウ３１０の画像は同じ大きさの画像となるので、ユーザにとって違和感なくピント状態の調整あるいは確認を行うことができる。なお、いずれの撮像素子サイズが設定されている場合に如何なる拡大率とするかは、例えばルックアップテーブル形式でシステムメモリ１３２に予め記憶させておくことができる。
【００５９】
以上説明したように、表示制御部１３９は、被写界深度に関して設定された様々な項目値の少なくともひとつを採用し、当該項目値に基づいて拡大率を決定する。上述の説明においては、それぞれの項目ごとに拡大率を決定する例を説明したが、もちろんこれらの項目を組み合わせて拡大率を決定しても良い。例えば、拡大率決定のためのルックアップテーブルは、絞り値と焦点距離のマトリックスに対して拡大率をそれぞれ規定する形式を採用し得る。
【００６０】
上述のように、拡大表示の一つの目的は、ユーザによるピント状態の調整あるいは確認を容易にすることである。したがって、拡大表示に付随して、様々な補助情報を表示しても良い。例えばピント調整アシスト情報を表示し得る。
【００６１】
図１０は、ピント調整アシスト画面の例である。本実施形態においては、図４を用いて説明したように、撮像素子１３３は、位相差信号を出力することができる。したがって、ライブビュー表示に並行して、カメラシステム制御部１３０は、焦点検出部１４５を用いて被写体像のピント状態を検出することができる。そこで、表示制御部１３９は、拡大ウィンドウ３１０に隣接して、アシストウィンドウ５０１を表示する。
【００６２】
アシストウィンドウ５０１は、ピントバー５０２と指標５０３を含む。ピントバー５０２は、バー方向に前ピン領域、合焦領域、後ピン領域に区分されている。合焦領域は、焦点検出領域である中心領域が捉える被写体像が、許容錯乱円に収まる解像度を有することを示す。前ピン領域は、合焦状態に対して前ピンであることを示し、合焦領域から遠ざかるほどぼけが大きいことを表す。後ピン領域は、合焦状態に対して後ピンであることを示し、合焦領域から遠ざかるほどぼけが大きいことを表す。指標５０３は、焦点検出部１４５により検出されたピント状態が、ピントバー５０２のいずれに位置に相当するかを示す。
【００６３】
ユーザは、拡大ウィンドウ３１０の画像を観察しつつ、アシストウィンドウ５０１も観察することにより、精確にピント調整を行うことができる。なお、本実施形態においては、位相差検出画素が配列された撮像素子１３３を採用する場合について説明したが、通常画素のみが配列された撮像素子を採用する場合であっても、例えばコントラストＡＦを併用することにより、アシストウィンドウ５０１に準じた合焦情報を表示することができる。
【００６４】
次に、ライブビュー表示時における一連の処理について説明する。図１１は、ライブビュー表示処理のフロー図である。フローは、撮影モードにおいてライブビュー表示が開始された時点から開始する。
【００６５】
カメラシステム制御部１３０は、ユーザ操作によりピント調整を行うマニュアルフォーカスが選択されているか、または、装着された交換レンズ２０がマニュアルフォーカスレンズであるかを判断する。マニュアルフォーカスが選択されていると判断した場合、または、マニュアルフォーカスレンズが装着されていると判断した場合は、マニュアルモードに移行すべくステップＳ１０２へ進む。そうで無い場合は、オートフォーカスモードに移行すべくステップＳ１２１へ進む。
【００６６】
ステップＳ１０２では、ユーザによりフォーカス環２１が操作されたか否かをレンズシステム制御部１２０が監視し、その結果をカメラシステム制御部１３０へ送信する。カメラシステム制御部１３０は、フォーカス環２１が操作されるまで待機する。
【００６７】
カメラシステム制御部１３０は、ステップＳ１０２でフォーカス環２１が操作されたとの結果を受けると、ステップＳ１０３ヘ進み、被写界深度に関して現在設定されている項目値を収集する。そして、システムメモリ１３２から読み出したルックアップテーブルと共に表示制御部１３９へ引き渡す。表示制御部１３９は、取得した項目値とルックアップテーブルとから、拡大表示における拡大率を決定する。
【００６８】
続いて、ステップＳ１０４では、カメラシステム制御部１３０は、現在設定されている絞り値をレンズシステム制御部１２０へ送信し、レンズシステム制御部１２０は、駆動回路１２４を介して、絞り１２３を当該絞り値に対応する開口に絞り込む。これに伴いライブビュー表示は、実絞りによる画像が表示される。
【００６９】
そして、ステップＳ１０５で、表示制御部１３９は、決定した拡大率による拡大表示を開始する。表示制御部１３９が拡大表示を開始したら、ステップＳ１０６ヘ進み、カメラシステム制御部１３０は、項目値の設定変更がなされたか否かを確認する。設定変更がなされたと判断したら、ステップＳ１０３へ戻り、拡大率を変更する。設定変更がなされていないと判断したら、ステップＳ１０７へ進み、ユーザがフォーカス環２１を継続的に操作しているか否かを確認する。継続的な操作とは、例えば予め定められた時間内に少なくとも一度の操作が行われている場合をいう。継続的に操作していると判断した場合には、拡大表示を継続すべくステップＳ１０５へ戻る。したがって、ユーザは、フォーカス環２１を操作している間は、拡大表示により、ピント調整を視認性良く行うことができる。
【００７０】
ステップＳ１０７においてフォーカス環２１の操作が終了したと判断したら、ステップＳ１０８へ進み、表示制御部１３９は、拡大表示を終了して通常のファイブビュー表示に戻す。その後、ステップＳ１０９において、カメラシステム制御部１３０は、ユーザから撮影指示がなされたか否かを判断する。撮影指示がなされていないと判断したらステップＳ１０１へ戻る。撮影指示がなされたと判断したら、ステップＳ１１０で、一連の撮影動作を実行する。撮影動作を完了したらフローを終了する。なお、次の撮影に備えてステップＳ１０１へ戻っても良い。
【００７１】
オートフォーカスモードとしてステップＳ１２１へ進むと、カメラシステム制御部１３０は、ステップＳ１２１で、ユーザからのＡＦ指示を待つ。具体的には、レリーズボタン３２の半押しが検出されるまで待機する。ＡＦ指示があったと判断したら、ステップＳ１２２へ進み、ＡＦ処理を実行する。具体的には、撮像素子１３３の位相差検出画素の出力を受けて焦点検出部１４５が演算したぼけ情報を、カメラシステム制御部１３０がレンズシステム制御部１２０へ送信する。そして、レンズシステム制御部１２０は、当該ぼけ情報をフォーカスレンズ１２１の変位量に換算して、その変位量に相当する駆動信号を駆動回路１２４へ与え、フォーカスレンズ１２１を変位させる。
【００７２】
続いてステップＳ１２３で、ステップＳ１０３と同様に拡大表示の拡大率を決定し、ステップＳ１２４で、ステップＳ１０４と同様に絞り駆動を実行する。そして、ステップＳ１０５で、表示制御部１３９は、決定した拡大率による拡大表示を開始する。ユーザは、この時点で、オートフォーカスによりピント調整されたピント状態を確認できる。ユーザは、更なる微調整を行いたいと考える場合は、フォーカス環２１を操作する。ステップＳ１２６では、ユーザによりフォーカス環２１が操作されたか否かをレンズシステム制御部１２０が監視し、その結果をカメラシステム制御部１３０へ送信する。カメラシステム制御部１３０は、フォーカス環２１が操作されたとの結果を受けると、ステップＳ１０５へ進む。フォーカス環２１が操作されていないとの結果を受けると、ステップＳ１２７へ進む。ステップＳ１２７では、カメラシステム制御部１３０は、ステップＳ１２５で拡大表示を開始してからの時間が予め定められた時間を超えたか否かを判断する。超えていないと判断すれば、ステップＳ１２５へ戻る。超えたと判断すれば、ステップＳ１０８へ進む。ステップＳ１０８移行のフローは上述の通りである。
【００７３】
以上の本実施形態においては、オートフォーカスモードにおいても拡大表示を実行する例を説明したが、オートフォーカスモードでは拡大表示を実行せず、マニュアルモードにおいてのみ拡大表示を実行しても良い。この場合、マニュアルモードに設定された交換レンズ２０、あるいは、マニュアルフォーカスレンズである交換レンズ２０が装着された場合に、カメラシステム制御部１３０が自動的にマニュアルモードを適用することができる。
【００７４】
また、以上の実施形態においては、表示制御部１３９は、被写界深度に関して設定された項目値に基づいて拡大率を決定したが、他の項目値、パラメータ等によって、決定された拡大率を変更しても良い。例えば、画像処理部１３６が、連続して取得される画像から被写体の動きを検出する動体検出部として機能すれば、その検出結果に基づいて拡大率を変更することができる。拡大率が大きい場合であって被写体に動きがあると、ピントを確認したい領域が拡大ウィンドウ３１０から外れる頻度が大きくなる。したがって、被写体に動きがある場合には、表示制御部１３９は、決定された拡大率を小さくする。この場合、動体検出部が検出した被写体の動きの激しさに応じて拡大率を変更しても良い。
【００７５】
また、以上の実施形態においては、表示制御部１３９によって制御される表示部が、表示部３４一つであるとして説明した。しかし、カメラ１０は、複数の表示部を備える場合もあるし、外部機器ＩＦ１４０を介して外部表示装置が接続される場合もある。例えば、カメラ１０は、光学ファインダに代えて、覗き込み型のＥＶＦとしての表示部を備える場合がある。覗き込み型のＥＶＦは、そもそも小型の表示パネルであるので、ピントの調整および確認には適さない場合もある。したがって、表示制御部１３９は、この表示部に対して拡大表示を実行しないように制御することもできる。あるいは、逆に、より大きな拡大率を適用して、視認性を高めることもできる。
【００７６】
また、外部表示装置は、表示部３４に対して大きなパネルが採用されている場合が多く、したがって、表示制御部１３９は、当該外部表示装置で拡大表示を実行する場合は、拡大率を小さくしても良い。すなわち、表示制御部１３９は、ライブビューを表示する表示先に応じて拡大率を決定することもできるし、そもそも拡大表示を実行しないこともできる。
【００７７】
以上の実施形態においては、カメラ１０がライブビュー表示を行う場合の拡大表示を中心に説明したが、撮影後の記録済み画像データの再生表示における拡大表示にも、同様の処理を適用することができる。例えば、このような拡大表示は、撮影後のピント確認において効果を発揮する。この場合、カメラ１０の表示部３４における拡大表示はもちろんのこと、例えばＰＣの表示制御によるモニタでの拡大表示であっても良い。
【００７８】
カメラ１０が表示制御装置として機能する以外の例として、ＰＣが表示制御装置として機能する場合の処理フローを説明する。図１２は、ＰＣにおける記録済み画像データの表示処理のフロー図である。
【００７９】
ＣＰＵは、ステップＳ２０１で、記録済みの画像データを読み込む。そして、モニタに読み込んだ画像データの画像を表示する。ステップＳ２０２では、表示された画像に対して、ユーザから拡大指示があったか否かを判断する。拡大指示が無いと判断したらステップＳ２０８へ進み、あったと判断したらステップＳ２０３へ進む。
【００８０】
ステップＳ２０３では、読み込んだ画像データに付随する付随データを読み込む。例えば、読み込んだ画像データがＪＰＥＧファイルである場合、ＣＰＵは、ＪＰＥＧファイルのヘッダ情報であるＥＸＩＦ情報を読み込む。ＣＰＵは、ステップＳ２０４で、付随データにふくまれるデータのうち被写界深度に関して設定された項目値を抽出し、拡大率を決定する。そして、ステップＳ２０５で、決定した拡大率に応じた拡大表示を実行する。
【００８１】
その後、ステップＳ２０７で、ユーザから拡大表示の終了指示があったか否かを判断する。終了指示が無かったと判断したらステップＳ２０５へ戻る。あったと判断したらステップＳ２０７ヘ進み、拡大表示を終了させる。
【００８２】
そして、ステップＳ２０８では、ＣＰＵは、表示された画像に対する表示終了の指示があったか否かを判断する。表示終了の指示が無かったと判断したら、ステップＳ２０２へ戻り、あったと判断したら表示を終了させて一連の処理を終了する。
【００８３】
以上の実施形態においては、ピント状態の調整および確認を目的として拡大率を決定する例を説明したが、これとは異なる目的であれば、被写界深度の浅くなる項目値に対して小さな拡大率を決定しても構わない。例えば、単なる鑑賞を目的とするのであれば、ピントのずれが目立たないように、設定された絞り値が小さいほど、小さな拡大率を決定すると良い。
【００８４】
また、ピント状態の調整および確認を目的とする場合でも、絞り値の大小と拡大率の大小との関係は、ユーザの要望によっては上述の関係と反対の場合もある。例えば、風景モードを選択するユーザは、パンフォーカスを望む場合が多い。このような場合に、ユーザにとっては画像全体で合焦しているか否かが重要であるので、より精確にピント状態を調整、確認できるように、設定される絞り値が大きいほど、拡大率を大きくしても良い。特にこのような場合には、拡大ウィンドウ３１０の移動指示をユーザから受け付けるように構成すれば、ユーザは任意の領域においてピント状態を調整、確認できる。また、例えば絞り優先モードにおいて、設定される絞り値がＦ８．０の場合に拡大率を最小として、Ｆ８．０よりもより小さな絞り値に設定されても、より大きな絞り値に設定されても、拡大率を漸増させるように構成しても良い。
【００８５】
このような、絞り値と拡大率の関係に限らず、被写界深度に関して設定された項目値と拡大率の関係は、ユーザごとに望ましい関係が異なる。そこで、項目値と拡大率についてどのような関係を適用するかについて、カメラシステム制御部１３０がユーザから指示を受け付けるように構成しても良い。例えば、小さな絞り値が設定された場合に、拡大率を大きくするのか小さくするのかを受け付けたり、いずれの撮影モードが設定された場合にいかなる拡大率を適用するかを受け付けたりすることができる。
【００８６】
以上の実施形態においては、拡大ウィンドウ３１０を定めて、拡大表示なしの状態にピクチャーインピクチャーの態様で重畳する拡大表示について説明した。拡大ウィンドウ３１０のアスペクト比は、上述の実施形態のように予め定められた比であっても良いし、有効画素領域の比であっても良い。また、有効画素領域の比と表示部３４の比が異なる場合には、表示部３４の比を採用しても良い。また、ピクチャーインピクチャーの態様に限らず、拡大ウィンドウ３１０を表示部３４の全画面に合わせて表示しても良い。
【００８７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８９】
１０  カメラ、１１  光軸、２０  交換レンズ、２１  フォーカス環、２２  ズーム環、３０  カメラ本体、３２  レリーズボタン、３３  撮影モードダイヤル、３４  表示部、３５  再生ボタン、３６  削除ボタン、３７  拡大ボタン、３８  縮小ボタン、３９  十字キー、４０  決定ボタン、４１  コマンドダイヤル、１２０  レンズシステム制御部、１２１  フォーカスレンズ、１２２  ズームレンズ、１２３  絞り、１２４  駆動回路、１２５  レンズマウント接点、１３０  カメラシステム制御部、１３１  カメラマウント接点、１３２  システムメモリ、１３３  撮像素子、１３４  シャッタ、１３５  Ａ／Ｄ変換器、１３６  画像処理部、１３７  メモリ制御部、１３８  内部メモリ、１３９  表示制御部、１４０  外部機器ＩＦ、１４１  記録部、１４２  電源制御部、１４３  電源、１４４  操作検出部、１４５  焦点検出部、３０１、３２１、３３１、３４１、３５１、３６１、３７１  中心領域、３０２、３０３、３０４、３０５、３２２、３３２、３４２、３５２、３６２、３７２  対象領域、３１０  拡大ウィンドウ、５０１  アシストウィンドウ、５０２  ピントバー、５０３  指標、７４１  有効画素領域、７４２  焦点検出領域
【図１】
2013126177.tif 000003
【図２】
2013126177.tif 000004
【図３】
2013126177.tif 000005
【図４】
2013126177.tif 000006
【図５】
2013126177.tif 000007
【図６】
2013126177.tif 000008
【図７】
2013126177.tif 000009
【図８】
2013126177.tif 000010
【図９】
2013126177.tif 000011
【図１０】
2013126177.tif 000012
【図１１】
2013126177.tif 000013
【図１２】
2013126177.tif 000014